(57)【要約】【課題】本考案は、電池を直接に冷却する電池放熱装置を提供することを目的とする。【解決手段】本考案に係る電池放熱装置は、収容ホルダ内に装着される電池を冷却するために用いられる。前記電池放熱装置は、放熱器、熱電素子及びヒートパイプを備え、前記熱電素子は、前記放熱器に装着され、前記ヒートパイプの一端は、前記熱電素子に装着され、前記ヒートパイプの他端は、前記収容ホルダ内に挿入されて、前記放熱器は、前記収容ホルダの一側に固定される。【選択図】図１
0003160649.tif 000002
【実用新案登録請求の範囲】
【請求項１】
収容ホルダ内に装着される電池を冷却するために用いられる電池放熱装置であって、
放熱器と、前記放熱器に装着される熱電素子及びヒートパイプと、を備え、前記ヒートパイプの一端は前記熱電素子に装着され、前記ヒートパイプの他端は前記収容ホルダ内に挿入されることにより、前記放熱器が前記収容ホルダの一側に固定されることを特徴とする電池放熱装置。
【請求項２】
前記放熱器は、電気回路板に固定されることを特徴とする請求項１に記載の電池放熱装置。
【請求項３】
前記電気回路板は、拡張カードであることを特徴とする請求項２に記載の電池放熱装置。
【請求項４】
前記熱電素子は、前記電気回路板と前記放熱器との間に配置されることを特徴とする請求項２に記載の電池放熱装置。
【請求項５】
前記ヒートパイプは、前記熱電素子と前記電気回路板との間に配置されることを特徴とする請求項４に記載の電池放熱装置。
【請求項６】
前記ヒートパイプは、前記電気回路板と前記放熱器との間に配置されることを特徴とする請求項２に記載の電池放熱装置。
【請求項７】
前記電気回路板は、メインボードであることを特徴とする請求項２に記載の電池放熱装置。
【請求項８】
前記放熱器は、放熱片及び前記放熱片に囲まれるファンを備えることを特徴とする請求項１に記載の電池放熱装置。
【考案の詳細な説明】
【技術分野】
【０００１】
本考案は、放熱装置に関し、特に電池放熱装置に関するものである。
【背景技術】
【０００２】
サーバーシステムにおいては、不意の停電によるデータ損失を防ぐために、バックアップ電池がよく用いられている。前記バックアップ電池は、一般的に前記サーバーシステムに固定される充電式電池であって、充電又は放電の過程において熱を放出する。サーバーシステムにおいては、一般的に専用の放熱装置を設置して前記電池を冷却するのではなく、ハードディスク及びメインボードを冷却するための中央処理器用放熱装置を介して前記電池を冷却するため、前記電池の放熱に対する要求を満たすことができない。特にサーバーシステムの高級化に伴い、必要とされるバックアップ電池の数が多くなり、前記電池から生じた熱を適時に放出することができないため、前記電池は、周囲の高温によって壊れやすく、頻繁に取替えなければならない。そのため、サーバーシステムのコストが高くなる。更に、適時に放出されなかった熱は、サーバーシステム全体の正常な作動に悪い影響を与える。
【考案の概要】
【考案が解決しようとする課題】
【０００３】
以上の問題点に鑑みて、本考案は、電池を直接に冷却する電池放熱装置を提供することを目的とする。
【課題を解決するための手段】
【０００４】
前記問題を解決するために、本考案に係る電池放熱装置は、収容ホルダ内に装着される電池を冷却するために用いられる。前記電池放熱装置は、放熱器、熱電素子及びヒートパイプを備え、前記熱電素子は、前記放熱器に装着され、前記ヒートパイプの一端は、前記熱電素子に装着され、前記ヒートパイプの他端は、前記収容ホルダ内に挿入されて、前記放熱器は、前記収容ホルダの一側に固定される。
【考案の効果】
【０００５】
従来の技術に比べて、本考案に係る電池放熱装置は、ヒートパイプ及び熱電素子を介して電池から発生した熱を直接に取り去ることによって、前記電池を効果的に冷却することができる。従って、前記電池の使用寿命を伸ばすことができる。
【図面の簡単な説明】
【０００６】
【図１】本考案の実施形態に係る電池放熱装置を電池及び収容ホルダに組立てる時の前面図である。
【図２】図１の俯瞰図である。
【図３】本考案の実施形態に係る電池放熱装置を電池、収容ホルダ及び電気回路板に組立てる時の前面図である。
【考案を実施するための形態】
【０００７】
以下、図面に基づいて、本考案の実施形態に係る電池放熱装置について詳細に説明する。
【０００８】
サーバーシステムでは、より多くのデータを蓄積するために、一般的に複数のハードディスクを設置する。前記複数のハードディスクを便利に管理するために、ＲＡＩＤ（Ｒｅｄｕｎｄａｎｔ  Ａｒｒａｙ  ｏｆ  Ｉｎｄｅｐｅｎｄｅｎｔ  Ｄｉｓｋ）技術がよく用いられている。ＲＡＩＤ技術は、ＲＡＩＤコントロールを介して複数のハードディスクを組み合わせることで１つの仮想的な大容量のハードディスクとして運用するため、複数のハードディスクを同時に読み取ることができるので、読み取り速度が速く、耐障害性が高い。ところが、複数のハードディスクが使用されているため、前記サーバーシステムの処理すべきデータ量が非常に大きく、前記サーバーシステムにおけるハードディスクや中央処理器等の電子素子が前記大量のデータを処理する時に発生する熱も非常に大きい。そのため、前記サーバーシステムの温度が相対的に高く、常に３５〜４５度に維持される。又、複数のハードディスクに蓄積されたデータ量が非常に大きいので、不意の停電によるデータ損失を防ぐために、Ｌｉ電池等のバックアップ充電電池がよく用いられている。サーバーシステムには、ハードディスク、メインボードや拡張カード等の電子素子が多く設置されているので、利用できる空間も限定されている。前記電池は、常に前記拡張カードに隣接する位置に設置されており、この位置は前記電池の放熱にとって非常に不利である。前記電池の放熱は、一般的にサーバーシステムのファン及び中央処理器用放熱装置を介して実現するが、前記電池は放熱に非常に不利な位置に位置するため、前記電池は通常３５〜４０度の環境で作動する。前記電池は２３度の環境で一般的に約一年の使用寿命を有するが、それを３５〜４０度の高温環境下に置くと使用寿命がかなり短くなるため、前記電池を頻繁に取り換える必要がある。従って、前記サーバーシステムのコストが高くなる。
【０００９】
図１及び図２に示すように、本考案に係る電池放熱装置は、電池１０を冷却することができる。前記電池１０は、収容ホルダ１４に収容される充電電池であって、充電及び放電する時に熱を放出し、その熱によって前記電池１０の温度が上昇する。前記放熱装置は、放熱器３０、熱電素子（Ｔｈｅｒｍｏ−Ｅｌｅｃｔｒｏｎｉｃ  Ｄｅｖｉｃｅ）５０及びヒートパイプ７０を備える。
【００１０】
前記放熱器３０は、前記収容ホルダ１４の一側に装着され、放熱片３１及び前記放熱片３１に囲まれるファン３３を備える。前記放熱片３１に伝達された熱を放出するために、前記放熱片３１を高導熱材料で製造する。前記ファン３３によって気流が発生し、その気流は前記放熱片３１の一側から他側に流れて前記放熱片３１から放出する熱を持ち去ることによって、前記放熱片３１の放熱を速める。
【００１１】
前記熱電素子５０は、熱電材料（Ｔｈｅｒｍｏ−Ｅｌｅｃｔｒｏｎｉｃ  Ｍａｔｅｒｉａｌ）で作られ、前記放熱器３０に固定される。前記熱電素子５０は、通電すると迅速に熱を前記熱電素子５０の高温の一端から低温の一端へ伝達するという特性を有する。
【００１２】
前記ヒートパイプ７０の一端は前記熱電素子５０の底部に固定される。前記ヒートパイプ７０は、高導熱材料で作られ、熱を前記ヒートパイプ７０の高温の一端から低温の一端へ伝達することができる。
【００１３】
使用する時、前記電池放熱装置は、固定ホルダ等の固定機構を介して前記収容ホルダ１４の一側に固定され、前記ヒートパイプ７０の一端は、前記収容ホルダ１４内に挿入され、且つ前記電池１０に隣接する。前記電池１０が作動し、例えば充電又は放電する時に熱を放出すると、前記ファン３３及び前記熱電素子５０が通電されて作動する。前記ヒートパイプ７０の前記電池１０に隣接する一端は、前記電池１０から放出された熱を吸収して前記ヒートパイプ７０の前記熱電素子５０に固定される一端に伝達する。この時、前記熱電素子５０の前記ヒートパイプ７０に隣接する一端は、前記ヒートパイプ７０から伝達された熱を吸収して温度が高くなる。前記熱電素子５０は通電されているので、その熱を前記熱電素子５０の前記ヒートパイプ７０に隣接する一端から前記放熱器３０に隣接する一端へ伝達することができる。このように、前記電池１０が発生する熱は、前記ヒートパイプ７０及び前記熱電素子５０を介して前記放熱器３０に伝達されて、そして前記放熱器３０の放熱片３１及びファン３３を介して放出される。これで、前記電池１０及びその周りの温度を前記電池放熱装置を介することにより正常な温度に制御することができるので、前記電池１０の使用寿命が高温によって短くなることを避けることができる。
【００１４】
図３を参照すると、前記放熱器３０は、電気回路板８０に固定され、且つ前記電気回路板８０のチップ８１の上方に設置されることができる。この時、前記熱電素子５０及び前記ヒートパイプ７０は、前記放熱器３０と前記電気回路板８０のチップ８１との間に位置する。本実施形態において、前記電気回路板８０は、拡張カード又はメインボードである。
【００１５】
以上、本考案の好適な実施形態について詳細に説明したが、本考案は前記実施形態に限定されるものではなく、本考案の範囲内で種々の変形又は修正が可能であり、該変形又は修正も又、本考案の技術特徴の範囲内に含まれるものである。
【符号の説明】
【００１６】
１０      電池
１４      収容ホルダ
３０      放熱器
３１      放熱片
３３      ファン
５０      熱電素子
７０      ヒートパイプ
８０      電気回路板
８１      チップ
【図１】
0003160649.tif 000003
【図２】
0003160649.tif 000004
【図３】
0003160649.tif 000005